(57)【要約】      （修正有）【課題】女性の乳房の疾患（乳がんが良性の繊維腺腫）によって、片方の乳房を失うまたは部分切除をした患者の胸の大きさを左右対称に違和感のない様に見せ、日常生活や運動時においてパッドが飛び出す心配がなく、ストレスが無く安心して過ごせるパッドポケット付きブラジャーを提供する。【解決手段】パッドポケット付きブラジャー１０のカップ部１２の内側に大きなポケットを付け、個人に合ったパッドを１個または２〜３個を入れ、長時間の着用や運動にもかかわらずポケットからパッドの飛び出しを防止するために２ｃｍ以上で３ｃｍ以下の重なりのある蓋部１４を内皮材１８に付けた。内皮材１８は肌触りのいいニット素材を使用した。【選択図】図１
0003178563.tif 000002
【実用新案登録請求の範囲】
【請求項１】
被着者の乳房を覆う一対のカップ部を備え、前記カップ部は、外側に露出するカップ本体と前記カップ本体の内側に装着されて前記カップ本体よりも軟質素材からなる内皮材とからなり、
前記カップ本体と前記内皮材との間にポケットが形成されるとともに、前記内皮材には前記ポケットに連通して前記ポケットにパッドを１個または複数個挿入するための開口部が形成され、
前記ポケットの前記開口部を開閉するための、前記開口部を形成する一対の縁部は２ｃｍ以上３ｃｍ以下の幅で重畳されていることを特徴とするパッドポケット付きブラジャー。
【請求項２】
前記内皮材は保湿機能のあるニット素材によって構成されている請求項１に記載のパッドポケット付きブラジャー。
【考案の詳細な説明】
【技術分野】
【０００１】
本考案は、ブラジャーのカップ部にパッドを挿入できるポケットに蓋を備えたパッドポケット付きブラジャーに関する。
【背景技術】
【０００２】
乳房の左右の大きさの差を補正するパッドを、カップ部に挿入可能なブラジャーが従来から提案されている。これらのブラジャーは、カップ部の内側にポケットを備え、ポケットの内側に形成された開口部を介してポケットに、所定の大きさのパッドを1個または複数個挿入することによって、乳房の左右の大きさを外観上において等しくしている。
特許文献１、２には、女性の乳房の疾患（乳がん、良性の繊維腺腫）によって、片方の乳房を失うまたは部分切除をした被着者に適したブラジャーが開示されている。このブラジャーによれば、カップ部の内側に、パッドが挿入されるポケットが備えられており、このポケットの開口部を介してパッドを1個又は複数個挿入することにより、外観上において左右の胸の大きさを、健常者の胸と違和感のない様に見せることができる。
【先行技術文献】
【特許文献】
【０００３】
【特許文献１】実用新案登録第３１１８２２７号公報
【特許文献２】特開平９−３１７１１号公報
【考案の概要】
【考案が解決しようとする課題】
【０００４】
しかしながら、特許文献１、２のブラジャーは、カップ部の内側に大きなポケットを備えているものの、パッドを挿入するためのポケットの開口部が外観上で大きく開いているので、ポケットからパッドが容易に脱落してしまうという不具合があった。
【０００５】
前記ポケットの開口部は、開口部を形成する両側の一対の縁部から構成され、一対の縁部が各々対向するように構成されている。従来のブラジャーは、カップ部にカップ部を変形させる外力が加わると、例えば、被着者が運動を行なっているときに被着者からブラジャーに外力が加わると、前記一対の縁部が相対的に離間する方向に容易に変形するため、前記開口部が容易に開いてしまい、これによってポケットからパッドが容易に脱落してしまう。
【０００６】
本考案は、このような事情に鑑みてなされたもので、被着者一人ひとりに合った左右対称の乳房の形を形成するためにカップの内側に大きなポケットに蓋を付け、個人に合ったパッドを１個または複数個を挿入しても、長時間の着用や運動にもかかわらずポケットからのパッドの脱落を確実に防止でき、被着者に安心感を与える事が出来るパッドポケット付きブラジャーを提供することを目的とする。
【課題を解決するための手段】
【０００７】
本考案は、前記目的を達成するために、被着者の乳房を覆う一対のカップ部を備え、前記カップ部は、外側に露出するカップ本体と前記カップ本体の内側に装着されて前記カップ本体よりも軟質素材からなる内皮材とからなり、前記カップ本体と前記内皮材との間にポケットが形成されるとともに、前記内皮材には前記ポケットに連通して前記ポケットにパッドを１個または複数個挿入するための開口部が形成され、前記ポケットの前記開口部を開閉するための、前記開口部を形成する一対の縁部は２ｃｍ以上３ｃｍ以下の幅で重畳されていることを特徴とするパッドポケット付きブラジャーを提供する。
本考案によれば、（たとえば図１参照）、ポケットの開口部（２０）を形成する一対の縁部（２２、２４）を重畳させて２ｃｍ以上で３ｃｍ以下の十分な長さの蓋部（１４）を設けたことで、蓋部（１４）を少しめくってもしっかりと一対の縁部（２２、２４）の重なり状態が保持される（図２参照）。
つまり、本考案のパッドポケット付きブラジャーは、ポケットの開口部を形成する一対の縁部が対向配置されておらず、一方の縁部が他方の縁部に２ｃｍ以上で３ｃｍ以下重なるように構成されることによって、前記蓋部が構成されている。これにより、本考案のパッドポケット付きブラジャーによれば、複数のパッドを、開口部を介してポケットに挿入し、カップ部に外力が作用してカップ部が変形しても、前記蓋部を備えている以上、長時間の着用や着替えの際にもパッドがポケットから脱落することを防止でき、被着者に安心感を与える事が出来る。
前記一対の縁部の重畳寸法は、前記の如く２ｃｍ以上であり３ｃｍ以下である。すなわち、２ｃｍ未満の場合には、前記外力によって一対の縁部の重なりが無くなりポケットからパッドが脱落する場合があるからである。また、３ｃｍを超えるとポケットへのパッドの挿入が難しくなるからである。
また、本考案の前記内皮材は保湿機能のあるニット素材によって構成されていることが好ましい。これにより、被着者はより快適に過ごすことができる。
【考案の効果】
【０００８】
本考案のパッドポケット付きブラジャーによれば、被着者一人ひとりに合った左右対称の乳房の形を形成するためにカップの内側に大きなポケットを付け、個人に合ったパッドを１個または複数個を挿入しても、長時間の着用や運動にもかかわらず、また、着替えの時にもポケットからのパッドの脱落を確実に防止でき、被着者に安心感を与える事が出来る。
【図面の簡単な説明】
【０００９】
【図１】本考案のパッドポケット付きブラジャーを内側から見た斜視図である。
【図２】本考案、ポケットふたをめくった時にポケット口が見えない位の重なりがある説明図である。
【図３】ポケットのふたの重なりの断面図である。
【図４】本考案のパッドポケット付きブラジャーの正面図である。
【考案を実施するための形態】
【００１０】
以下、添付図面に従って本考案のパッドポケット付きブラジャーの好ましい形態について説明する。
図１は、本考案のパッドポケット付きブラジャー１０のカップ部１２を内側から見た要部斜視図、図２は、図１のカップ部１２に備えられたポケットの蓋部１４をめくった時にポケットの開口部が見えない位の重なりがある説明図、図３は、ポケットの蓋部１４の要部拡大断面図、図４は、パッドポケット付きブラジャー１０の正面図である。
図４に示すように、パッドポケット付きブラジャー１０は、被着者の乳房を覆う一対のカップ部１２、１２を備えている。カップ部１２は、外側に露出するカップ本体１６と、図１、図２の如くカップ本体１６の内側に装着されてカップ本体１６よりも軟質素材からなる内皮材１８とからなる。
カップ本体１６と内皮材１８との間の隙間にポケット（図においては不図示）が形成される。また、内皮材１８には図３の如く、ポケットに連通してポケットにパッド（不図示）を１個または複数個挿入するための開口部２０が形成されている。
前記ポケットの開口部２０を開閉するための、開口部２０を形成する一対の縁部２２、２４は、図１、図３に示すように２ｃｍ以上３ｃｍ以下の幅で重畳され、その重畳部が蓋部１４として構成されている。
したがって、実施の形態のパッドポケット付きブラジャー１０によれば、女性の乳房の疾患（乳がんが良性の繊維腺腫）によって、片方の乳房を失うまたは部分切除をした患者の胸の大きさを健常者の胸と違和感のない様に見せることができ、また、カップ部１２の内側に大きなポケットを付けることで上部分に膨らみを補充したい方や、全摘出の方は複数のパッドを入れても２ｃｍ以上で３ｃｍ以下の重なりがあるポケットの前記蓋部１４があることで、ポケットからパッドが飛び出す心配がなくなり安心して過ごすことが可能になる。
また、内皮材１８は保湿機能のあるニット素材によって構成されていることが好ましい。これにより、被着者はより快適に過ごすことができる。
【符号の説明】
【００１１】
１０…パッドポケット付きブラジャー、１２…カップ部、１４…蓋部、１６…カップ本体、１８…内皮材、２０…開口部、２２、２４…縁部
【図１】
0003178563.tif 000003
【図２】
0003178563.tif 000004
【図３】
0003178563.tif 000005
【図４】
0003178563.tif 000006